(57)【要約】【課題】容器内の板状収納体が振出しやすく、方向性をもって振り出される板状収納体の振出し口形態を提供する。【解決手段】板状収納体２００を収納し水平断面外周形状が正方形で天板１１０と四方の側壁１２０と底板１３０とからなる外観角柱状容器１００であって、天板の側壁内面延長線上の四つの角部に、一枚の板状収納体を振出し可能な左側の振出し溝孔１１２と一枚の板状収納体を振出し可能な右側の振出し溝孔１１３とが４５°の角度でＶ字状に交わるＶ字状振出し口１１１を、左側の振出し溝孔を側壁内面延長線上に沿わせて設ける。【選択図】図１
2006199331.tif 000002
【特許請求の範囲】
【請求項１】
板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態。
【請求項２】
板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態。
【請求項３】
板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態。
【請求項４】
板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態。
【請求項５】
板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態。
【請求項６】
板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態。
【請求項７】
板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態。
【請求項８】
板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態。
【請求項９】
板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態。
【請求項１０】
板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態。
【請求項１１】
板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態。
【請求項１２】
板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態。
【請求項１３】
天板に設ける振出し溝孔に、外側から内側へ開くＲ形状の傾斜面を形成したことを特徴とする請求項１乃至請求項１２記載の板状収納体振出し口形態。
【発明の詳細な説明】
【技術分野】
【０００１】
本発明は、医療関係の測定、検査、治療に使用するセンサーチップや検査紙などの板状収納体を収容する容器の板状収納体振出し口形態に関するものである。
【背景技術】
【０００２】
従来、容器内に収納する板状収納体を振り出す振出し口形態としては、例えば御神籤のように、容器の天板に振出し口として振出し溝孔を設けたものがあった。
【発明の開示】
【発明が解決しようとする課題】
【０００３】
しかしながら、上述した従来の板状収納体の振出し口形態は、容器を逆さにして振ったときに、収納する板状収納体の先端が偶発的に振出し溝孔に合ったときのみに、板状収納体が振り出されるものであるため、かなりの回数振らないと板状収納体が振り出されてこないことがあった。また、収納する板状収納体の数が少なくなると、さらに振り出されにくくなった。
【０００４】
本発明は、上述の従来の板状収納体の振出し口形態の問題点を解決したものであり、容器内の板状収納体が振出しやすく、方向性をもって振り出される板状収納体の振出し口形態を提供するものである。
【課題を解決するための手段】
【０００５】
すなわち、本発明の第１の発明は、板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態である。
【０００６】
次に、本発明の第２の発明は、板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態である。
【０００７】
次に、本発明の第３の発明は、板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態である。
【０００８】
次に、本発明の第４の発明は、板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な右側の振出し溝孔とが４５°の角度でＶ字状に交わるＶ字状振出し口を、左側の振出し溝孔を側壁内面延長線上に沿わせて設けたことを特徴とする板状収納体振出し口形態
である。
【０００９】
次に、本発明の第５の発明は、板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態である。
【００１０】
次に、本発明の第６の発明は、板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態である。
【００１１】
次に、本発明の第７の発明は、板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態である。
【００１２】
次に、本発明の第８の発明は、板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な右側の振出し溝孔とが４５°の角度でＶ字状に交わるＶ字状振出し口を、右側の振出し溝孔を側壁内面延長線上に沿わせて設けたことを特徴とする板状収納体振出し口形態である。
【００１３】
次に、本発明の第９の発明は、板状収納体を収納し水平断面外周形状が正方形で天板と四方の側壁と底板とからなる外観角柱状容器であって、天板の側壁内面延長線上の四つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態である。
【００１４】
次に、本発明の第１０の発明は、板状収納体を収納し水平断面外周形状が正方形で天板と四方の側壁と底板とからなる外観角柱状容器であって、天板の側壁内面延長線上の三つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態である。
【００１５】
次に、本発明の第１１の発明は、板状収納体を収納し水平断面外周形状が正方形で天板と四方の側壁と底板とからなる外観角柱状容器であって、天板の側壁内面延長線上の二つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態である。
【００１６】
次に、本発明の第１２の発明は、  板状収納体を収納し水平断面外周形状が正方形で天板と四方の側壁と底板とからなる外観角柱状容器であって、天板の側壁内面延長線上の一つの角部に、一枚の板状収納体を振出し可能な左側の振出し溝孔と一枚の板状収納体を振出し可能な中央の振出し溝孔と一枚の板状収納体を振出し可能な右側の振出し溝孔とが４５°の角度で矢印状に交わる矢印状振出し口を、左側の振出し溝孔及び右側の振出し溝孔を側壁内面延長線上に沿わせて設けたことを特徴とする板状収納体振出し口形態。である。
【００１７】
そして、本発明の第１３の発明は、天板に設ける振出し溝孔に、外側から内側へ開くＲ形状の傾斜面を形成したことを特徴とする第１の発明乃至第１２の発明に記載の板状収納体振出し口形態である。
【発明の効果】
【００１８】
本発明の第１乃至第８の発明の板状収納体振出し口形態は、板状収納体を指に触れてよい先端側を上方にして外観角柱状容器内に収納し、Ｖ字状振出し口を形成する角部を下方にして容器を倒立状態に傾斜させて振ると、Ｖ字状振出し口の左側の振出し溝孔若しくは右側の振出し溝孔から一枚の板状収納体の指に触れてよい先端側が振り出されて来る。又は、左側の振出し溝孔と右側の振出し溝孔から一枚ずつ板状収納体の指に触れてよい先端側が振り出されて来る。そして、振り出された板状収納体の指に触れてよい先端を指で摘んで引き出すことが出来る。
【００１９】
また、本発明の第９乃至第１２の発明の板状収納体振出し口形態は、板状収納体を指に触れてよい先端側を上方にして外観角柱状容器内に収納し、矢印状振出し口を形成する角部を下方にして容器を倒立状態に傾斜させて振ると、矢印状振出し口の左側の振出し溝孔若しくは中央の振出し溝孔若しくは右側の振出し溝孔一枚の板状収納体の指に触れてよい先端側が振り出されて来る。又は、左側の振出し溝孔と中央の振出し溝孔若しくは中央の振出し溝孔と右側の振出し溝孔若しくは左側の振出し溝孔と右側の振出し溝孔から一枚ずつ板状収納体の指に触れてよい先端側が振り出されて来る。又は、左側の振出し溝孔と中央の振出し溝孔と右側の振出し溝孔から一枚ずつ板状収納体の指に触れてよい先端側が振り出されて来る。そして、振り出された板状収納体の指に触れてよい先端を指で摘んで引き出すことが出来る。
【００２０】
そして、本発明の板状収納体振出し口形態は、天板に設ける振出し溝孔に、外側から内側へ開くＲ形状の傾斜面を形成すると、板状収納体の角が尖っていても、毛羽立っていても、板状収納体が引っ掛かることなく振出し溝孔から振り出されて来る。
【発明を実施するための最良の形態】
【００２１】
次に、本発明の板状収納体振出し口形態の実施形態について、図を用いて詳細に説明する。
【００２２】
本実施形態の板状収納体振出し口形態は、天板（１１０）と四方の側壁（１２０）とからなる容器本体に、底板（１３０）が着脱可能に嵌着する水平断面外周形状が正方形の図１（ａ）及び（ｂ）に示す外観角柱状容器（１００）の天板に、振出し口の形状及び位置を規制して設けるものであり、容器を倒立状態で振ったときに、収納する図１（ｃ）に示す板状収納体（２００）の指で触れてもよい側の先端部が、振出し口から良好に振り出されてくるものである。振出し口から振り出された板状収納体は、先端部を指で摘んで振出し口から引き出して使用するものである。なお、外観角柱状容器としては、四方の側壁と底板とからなる容器本体に、天板が着脱可能に嵌着するものでもよい。また、板状収納体は、板状収納体を指に触れてよい先端側を、容器の天板方向にして容器内に収納するもの
である。そして、容器本体と底板又は天板と容器本体は、使用目的に合ったポリプロピレンやポリエチレンなどの熱可塑性樹脂を用いて、射出成形法により作製されるものである。
【００２３】
実施形態１の板状収納体振出し口形態は、図１（ａ）に示すように、天板（１１０）の側壁（１２０）内面延長線上の四つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、左側の振出し溝孔を側壁（１２０）内面延長線上に沿わせて設けるものである。通常では、容器の外周の一辺の側壁の幅は、図１（ｃ）に示す板状収納体（２００）の幅（Ｗ）×１．５〜２．９であり、容器の高さは、板状収納体（２００）の長さ（Ｌ）×１．０５であり、振出し溝孔（１１２，１１３）の幅は、板状収納体（２００）の厚み（Ｔ）×１．０５〜１．８５であり、振出し溝孔の長さは、板状収納体（２００）の幅（Ｗ）×１．０５〜１．５である。そして、板状収納体の角が尖っていても、毛羽立っていても、板状収納体が引っ掛かることなく振出し溝孔から振り出されてくるように、図６に示すように、天板に設ける振出し溝孔（１１２，１１３，１１５，１１６，１１７）に、外側から内側へ開くＲ形状の傾斜面（１１８）を形成するものである。
【００２４】
実施形態２の板状収納体振出し口形態は、図２（ａ）に示すように、天板（１１０）の側壁（１２０）内面延長線上の三つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、左側の振出し溝孔を側壁（１２０）内面延長線上に沿わせて設けるものである。その他は、実施形態１と同様である。
【００２５】
実施形態３の板状収納体振出し口形態は、図２（ｂ）又は（ｃ）に示すように、天板（１１０）の側壁（１２０）内面延長線上の二つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、左側の振出し溝孔を側壁（１２０）内面延長線上に沿わせて設けるものである。その他は、実施形態１と同様である。
【００２６】
実施形態４の板状収納体振出し口形態は、図２（ｄ）に示すように、天板（１１０）の側壁（１２０）内面延長線上の一つの角部に、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、左側の振出し溝孔を側壁（１２０）内面延長線上に沿わせて設けるものである。その他は、実施形態１と同様である。
【００２７】
実施形態５の板状収納体振出し口形態は、図３（ａ）に示すように、天板（１１０）の側壁（１２０）内面延長線上の四つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、右側の振出し溝孔を側壁（１２０）内面延長線上に沿わせて設けるものである。その他は、実施形態１と同様である。
【００２８】
実施形態６の板状収納体振出し口形態は、図３（ｂ）に示すように、天板（１１０）の側壁（１２０）内面延長線上の三つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、右側の振出し溝
孔を側壁（１２０）内面延長線上に沿わせて設けるものである。その他は、実施形態１と同様である。
【００２９】
実施形態７の板状収納体振出し口形態は、図３（ｃ）に示すように、天板（１１０）の側壁（１２０）内面延長線上の二つの角部に、それぞれ、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、右側の振出し溝孔を側壁（１２０）内面延長線上に沿わせて設けるものである。その他は、実施形態１と同様である。
【００３０】
実施形態８の板状収納体振出し口形態は、図３（ｄ）に示すように、天板（１１０）の側壁（１２０）内面延長線上の一つの角部に、一枚の板状収納体を振出し可能な左側の振出し溝孔（１１２）と一枚の板状収納体を振出し可能な右側の振出し溝孔（１１３）とが４５°の角度でＶ字状に交わるＶ字状振出し口（１１１）を、右側の振出し溝孔を側壁（１２０）内面延長線上に沿わせて設けるものである。その他は、実施形態１と同様である。
【００３１】
実施形態９の板状収納体振出し口形態は、図４（ａ）に示すように、天板（１１０）の側壁（１２０）内面延長線上の四つの角部に、それぞれ、一枚の板状収納体を振出し可能な左側の振出し溝孔（１１５）と一枚の板状収納体を振出し可能な中央の振出し溝孔（１１６）と一枚の板状収納体を振出し可能な右側の振出し溝孔（１１７）とが４５°の角度で矢印状に交わる矢印状振出し口（１１４）を、左側の振出し溝孔及び右側の振出し溝孔を側壁（１２０）内面延長線上に沿わせて設けるものである。その他は、実施形態１と同様である。
【００３２】
実施形態１０の板状収納体振出し口形態は、図４（ｂ）に示すように、天板（１１０）の側壁（１２０）内面延長線上の三つの角部に、それぞれ、一枚の板状収納体を振出し可能な左側の振出し溝孔（１１５）と一枚の板状収納体を振出し可能な中央の振出し溝孔（１１６）と一枚の板状収納体を振出し可能な右側の振出し溝孔（１１７）とが４５°の角度で矢印状に交わる矢印状振出し口（１１４）を、左側の振出し溝孔及び右側の振出し溝孔を側壁（１２０）内面延長線上に沿わせて設けるものである。その他は、実施形態１と同様である。
【００３３】
実施形態１１の板状収納体振出し口形態は、図４（ｃ）に示すように、天板（１１０）の側壁（１２０）内面延長線上の二つの角部に、それぞれ、一枚の板状収納体を振出し可能な左側の振出し溝孔（１１５）と一枚の板状収納体を振出し可能な中央の振出し溝孔（１１６）と一枚の板状収納体を振出し可能な右側の振出し溝孔（１１７）とが４５°の角度で矢印状に交わる矢印状振出し口（１１４）を、左側の振出し溝孔及び右側の振出し溝孔を側壁（１２０）内面延長線上に沿わせて設けるものである。その他は、実施形態１と同様である。
【００３４】
実施形態１２の板状収納体振出し口形態は、図４（ｄ）に示すように、天板（１１０）の側壁（１２０）内面延長線上の一つの角部に、一枚の板状収納体を振出し可能な左側の振出し溝孔（１１５）と一枚の板状収納体を振出し可能な中央の振出し溝孔（１１６）と一枚の板状収納体を振出し可能な右側の振出し溝孔（１１７）とが４５°の角度で矢印状に交わる矢印状振出し口（１１４）を、左側の振出し溝孔及び右側の振出し溝孔を側壁（１２０）内面延長線上に沿わせて設けるものである。その他は、実施形態１と同様である。
【００３５】
なお、実施形態１乃至実施形態１２の容器（１００）の外周の一辺の側壁（１２０）の
幅が板状収納体の幅（Ｗ）×２．５以上である場合には、図５（ａ）及び（ｂ）に示すように、天板（１１０）の中央位置に内側方向のガイド用角錐形状（１４０）を設けると、容器を倒立状態で板状収納体を振り出すときに、板状収納体を容器内で振出し溝孔側へ寄せることができるため、振出し溝孔から板状収納体が振出しやすくなる。
【図面の簡単な説明】
【００３６】
【図１】（ａ）は、本発明の実施形態１の外観角柱状容器の平面図であり、（ｂ）は、その側面であり、（ｃ）は、容器に収納する板状収納体の斜視図である。
【図２】（ａ）は、本発明の実施形態２の外観角柱状容器の平面図であり、（ｂ）は、実施形態３の外観角柱状容器の平面図であり、（ｃ）は、他の実施形態３の外観角柱状容器の平面図であり、（ｄ）は、実施形態４の外観角柱状容器の平面図である。
【図３】（ａ）は、本発明の実施形態５の外観角柱状容器の平面図であり、（ｂ）は、実施形態６の外観角柱状容器の平面図であり、（ｃ）は、実施形態７の外観角柱状容器の平面図であり、（ｄ）は、実施形態８の外観角柱状容器の平面図である。
【図４】（ａ）は、本発明の実施形態９の外観角柱状容器の平面図であり、（ｂ）は、実施形態１０の外観角柱状容器の平面図であり、（ｃ）は、実施形態１１の外観角柱状容器の平面図であり、（ｄ）は、実施形態１２の外観角柱状容器の平面図である。
【図５】（ａ）は、本発明の実施形態１の外観角柱状容器の天板中央位置に、ガイド用角錐形状を垂設した外観角柱状容器の平面図であり、（ｂ）は、その側面図である。
【図６】振出し溝孔に、外側から内側へＲ形状の傾斜面を形成したときの説明図である。
【符号の説明】
【００３７】
１００……容器
１１０……天板
１１１……Ｖ字状振出し口
１１２，１１５……左側の振出し溝孔
１１３，１１７……右側の振出し溝孔
１１４……矢印状振出し口
１１６……中央の振出し溝孔
１１８……傾斜面
１２０……側壁
１３０……底板
１４０……ガイド用角錐形状
２００……板状収納体
Ｌ……長さ
Ｔ……厚み
Ｗ……幅
【図１】
2006199331.tif 000003
【図２】
2006199331.tif 000004
【図３】
2006199331.tif 000005
【図４】
2006199331.tif 000006
【図５】
2006199331.tif 000007
【図６】
2006199331.tif 000008